(57)【特許請求の範囲】
【請求項１】
大気中に飛散している塩分を捕獲可能である素材が設けられた区画と、遮蔽板が設けられた１以上の区画とが交互に並び、該区画の境界に折り畳み線が設けられた帯状の飛散塩分捕獲体と、該飛散塩分捕獲体をその一部が曝露するように保持する保持装置とを備え、
前記保持装置は、
前記飛散塩分捕獲体の一部を曝露させるための開口と、該開口の上側の第１の室と、該開口の下側の第２の室とが設けられ、前記第１の室に折り畳まれた状態の前記飛散塩分捕獲体の未使用部分を収納し、前記第２の室に折り畳まれた状態の前記飛散塩分捕獲体の使用済み部分を収納する筐体と、
前記第１の室に配され、前記飛散塩分捕獲体の未使用部分を折り畳まれた状態から展開して前記開口の位置へ垂下させるように送り出すと共に、前記飛散塩分捕獲体の使用済み部分を前記開口の位置から前記第２の室へ降下させる送出機構と
を備える飛散塩分捕獲装置。
【請求項２】
前記保持装置は、
前記送出機構を駆動させる駆動部と、
未使用の前記素材が所定時間毎に順次前記第１の室から前記開口の位置に移動し、使用済の前記素材が所定時間毎に順次前記開口の位置から前記第２の室へ降下するように、前記駆動部を制御する制御部と
を備える請求項１に記載の飛散塩分捕獲装置。
【請求項３】
前記飛散塩分捕獲体の使用済み部分は、前記第２の室において、前記素材が設けられた区画間に前記遮蔽板が設けられた区画が介在するように積み重なった状態で折り畳まれる請求項１又は請求項２に記載の飛散塩分捕獲装置。
【請求項４】
前記飛散塩分捕獲体の使用済み部分は、前記第２の室において、前記素材が設けられた区画間に前記遮蔽板が設けられた区画が複数介在するように積み重なった状態で折り畳まれる請求項３に記載の飛散塩分捕獲装置。
【請求項５】
前記筐体は、
前記第１の室に前記飛散塩分捕獲体を挿入するための第１の開閉蓋と、
前記第２の室から前記飛散塩分捕獲体を取り出すための第２の開閉蓋とを備える請求項１から請求項４までの何れか１項に記載の飛散塩分捕獲装置。
【請求項６】
前記保持装置を収容し、前記飛散塩分捕獲体に導風する導風口が設けられた箱を備える請求項１から請求項５までの何れか１項に記載の飛散塩分捕獲装置。
【発明の詳細な説明】
【技術分野】
【０００１】
本発明は、飛散塩分量を測定するために大気中に飛散している塩分を捕獲する飛散塩分捕獲装置に関する。
【背景技術】
【０００２】
送電系統の絶縁碍子や鉄塔等の海塩粒子による塩害の予測を行うために、大気中に飛散している塩分（以下、単位体積あたりに含まれる塩分を気中塩分量、これに風速を乗じたものを飛散塩分量という）の量（飛散塩分量）を測定する必要があり、そのためには、大気中に飛散している塩分を捕獲する必要がある。ＪＩＳ  Ｚ２３８２で規定されているドライガーゼ法は、窓が空いた木枠にガーゼをはめ込んで雨に濡れない風通しの良い場所に設置し、ガーゼに塩分を含んだ大気を通過させてガーゼに塩分を付着させ、その付着した塩分の量を測定するというものである。
【０００３】
また、特許文献１に記載の外気導入装置では、外気を屋外構造物の内部に導入する外気導入部にテープ状の除塩フィルタを設け、この除塩フィルタで塩分を捕獲することで、外気中の塩分が屋外構造物の内部に入ることを防止している。ここで、特許文献１に記載の外気導入装置では、除塩フィルタの新規な面を外気導入部へ送り出し、塩分が付着した面を外気導入部から退避させる機構を設けることで、連続しての塩分の捕獲を可能にしている。
【先行技術文献】
【特許文献】
【０００４】
【特許文献１】特開２０１１−８５５１６号公報
【発明の概要】
【発明が解決しようとする課題】
【０００５】
ところで、百葉箱を鉄塔等の高所に設置してその中に上述のガーゼを設置することにより、高所での飛散塩分量を測定できる。この場合、ガーゼを所定期間毎に交換する必要があるが、交換作業の度に百葉箱を高所で上げたり下したりするのでは作業性が悪い。そのため、高所に設置した百葉箱の中で自動若しくは簡単な操作により、曝露位置において飛散塩分を捕獲するガーゼと未使用のガーゼとを交換できるようにすることが望ましい。ここで、使用済みのガーゼを巻き取った場合、使用期間の異なるガーゼが接触すること等により捕獲期間の異なる塩分が混ざり合って各期間の飛散塩分量を測定できなくなる可能性がある。
【０００６】
本発明は、上記事情に鑑みてなされたものであり、飛散塩分を捕獲する素材の交換を自動若しくは簡単な操作により実施できるようにすると共に、捕獲期間の異なる塩分が混ざり合わないように、使用済の素材を保管できるようにすることを課題とするものである。
【課題を解決するための手段】
【０００７】
本発明に係る飛散塩分捕獲装置は、大気中に飛散している塩分を捕獲可能である素材が設けられた区画と、遮蔽板が設けられた１以上の区画とが交互に並び、該区画の境界に折り畳み線が設けられた帯状の飛散塩分捕獲体と、該飛散塩分捕獲体をその一部が曝露するように保持する保持装置とを備え、前記保持装置は、前記飛散塩分捕獲体の一部を曝露させるための開口と、該開口の上側の第１の室と、該開口の下側の第２の室とが設けられ、前記第１の室に折り畳まれた状態の前記飛散塩分捕獲体の未使用部分を収納し、前記第２の室に折り畳まれた状態の前記飛散塩分捕獲体の使用済み部分を収納する筐体と、前記第１の室に配され、前記飛散塩分捕獲体の未使用部分を折り畳まれた状態から展開して前記開口の位置へ垂下させるように送り出すと共に、前記飛散塩分捕獲体の使用済み部分を前記開口の位置から前記第２の室へ降下させる送出機構とを備える。
【０００８】
前記飛散塩分捕獲装置において、前記保持装置は、前記送出機構を駆動させる駆動部と、未使用の前記素材が所定時間毎に順次前記第１の室から前記開口の位置に移動し、使用済の前記素材が所定時間毎に順次前記開口の位置から前記第２の室へ降下するように、前記駆動部を制御する制御部とを備えてもよい。
【０００９】
前記飛散塩分捕獲装置において、前記飛散塩分捕獲体の使用済み部分は、前記第２の室において、前記素材が設けられた区画間に前記遮蔽板が設けられた区画が介在するように積み重なった状態で折り畳まれてもよい。さらに、前記飛散塩分捕獲体の使用済み部分は、前記第２の室において、前記素材が設けられた区画間に前記遮蔽板が設けられた区画が複数介在するように積み重なった状態で折り畳まれてもよい。
【００１０】
前記飛散塩分捕獲装置において、前記筐体は、前記第１の室に前記飛散塩分捕獲体を挿入するための第１の開閉蓋と、前記第２の室から前記飛散塩分捕獲体を取り出すための第２の開閉蓋とを備えてもよい。
【００１１】
前記飛散塩分捕獲装置は、前記保持装置を収容し、前記飛散塩分捕獲体に導風する導風口が設けられた箱を備えてもよい。
【発明の効果】
【００１２】
本発明によれば、飛散塩分を捕獲する素材の交換を自動若しくは簡単な操作により実施できると共に、捕獲期間の異なる塩分が混ざり合わないように、使用済の素材を保管できる。
【図面の簡単な説明】
【００１３】
【図１】一実施形態に係る飛散塩分捕獲装置を示す斜視図である。
【図２】飛散塩分捕獲体を示す正面図である。
【図３】保持装置を示す縦断面図である。
【図４】保持装置を示す正面図である。
【図５】保持装置を示す斜視図である。
【図６】保持装置の使用方法を説明するための縦断面図である。
【図７】保持装置の使用方法を説明するための縦断面図である。
【図８】飛散塩分捕獲体の使用済み部分の収納状態を示す縦断面図である。
【図９】他の実施形態に係る保持装置を示す側断面図である。
【発明を実施するための形態】
【００１４】
以下、図面を参照しながら、本発明を実施するための形態を説明する。図１は、一実施形態に係る飛散塩分捕獲装置１０を示す斜視図である。この図に示すように、飛散塩分捕獲装置１０は、百葉箱１と、百葉箱１内に設置された保持装置１００と、保持装置１００が保持する飛散塩分捕獲体２０（図２参照）とを備えている。百葉箱１は、直方体状の箱であり、四つの側面にガラリ２が設けられている。ガラリ２は、奥側へかけて上側に傾斜する整流板が縦に並んだ構成である。また、百葉箱１の上面には、飛散塩分捕獲体２０を箱内に出し入れするための蓋３が設けられている。この蓋３の一辺がヒンジ（図示省略）を介して百葉箱１の上端の一辺に取り付けられており、蓋３のヒンジとは反対側の一辺と百葉箱１の上端の一辺とが蝶番９で着脱可能に固定されている。
【００１５】
なお、百葉箱１の一の側面を前面といい、該一の側面と対向する面を後面という。また、百葉箱１の前面側を装置前側、百葉箱１の後面側を装置後側といい、百葉箱１の前後方向を装置前後方向という。また、装置前後方向と直交する横方向を装置左右方向という。
【００１６】
図２は、飛散塩分捕獲体２０を示す正面図である。この図に示すように、飛散塩分捕獲体２０は、通気性を有し、飛散する塩分を捕獲可能である複数の矩形状（本実施形態では縦１０ｃｍ×横１０ｃｍの正方形）のガーゼ２２と、複数の矩形状（本実施形態では縦１０ｃｍ×横１０ｃｍの正方形）のボール紙や樹脂板等の遮蔽板２３と、一列に並んだ複数のガーゼ２２と複数の遮蔽板２３とを保持する梯子状の枠体であるガーゼホルダー２４とを備えている。
【００１７】
ガーゼホルダー２４は、ナイロンやボール紙や樹脂板等で形成されている。この飛散塩分捕獲体２０では、ガーゼ２２の周縁部がガーゼホルダー２４の開口２４Ａの周縁部に貼り付けられることで、各ガーゼ２２がガーゼホルダー２４の内側に張られている。また、遮蔽板２３の周縁部がガーゼホルダー２４の開口２４Ａの周縁部に貼り付けられることで、各遮蔽板２３がガーゼホルダー２４の内側を遮蔽している。
【００１８】
ここで、飛散塩分捕獲体２０では、ガーゼ２２が２枚おきに並べられ、ガーゼ２２間に２枚の遮蔽板２３が並べられている。また、このガーゼホルダー２４の４隅には、穴２４Ｂが開けられている。さらに、ガーゼホルダー２４のガーゼ２２と遮蔽板２３との間の枠部及び遮蔽板２３間の枠部の幅方向中央には、折り畳み線２４Ｃが設けられており、飛散塩分捕獲体２０は、ガーゼ２２と遮蔽板２３とを重ね合せて折り畳むことができるようになっている。
【００１９】
また、ガーゼ２２には、当該ガーゼ２２を識別するための表示である数字が記されている。この数字は使用する順序や使用する月等を特定するものである。即ち、使用する順序を特定する数字の場合は、ガーゼ２２の設置数に応じて１，２，３，４，…となり、使用する月を特定する数字の場合は、例えば、４，５，６，７，…となる。
【００２０】
図３は、保持装置１００を示す縦断面図である。また、図４は、保持装置１００を示す正面図であり、図５は、保持装置１００を示す斜視図である。これらの図に示すように、保持装置１００は、筐体１１０と、筐体１１０の上段部１１２に設けられ、飛散塩分捕獲体２０の未使用部分を収納する上段収納部１１６と、飛散塩分捕獲体２０の未使用部分を上段収納部１１６から下方の曝露位置へ送り出す送出機構１２０と、筐体１１０の下段部１１４に設けられ、飛散塩分捕獲体２０の使用済み部分を収納する下段収納部１１８とを備えている。
【００２１】
筐体１１０は、装置前後方向の長さ寸法が装置左右方向の長さ寸法よりも大きく、高さ寸法が装置前後方向の寸法よりも大きい直方体形状である。この筐体１１０の高さ方向の中間部には、装置前後方向に開口した矩形筒状の通気部１１１が形成されており、この通気部１１１の上側に上段部１１２が設けられ、通気部１１１の下側に下段部１１４が設けられている。
【００２２】
上段部１１２の装置前側上部には、送出機構１２０が配され、上段部１１２の装置後側下部には、上段収納部１１６が設けられている。上段収納部１１６は、上段部１１２の下部を装置前側と後側とに仕切る仕切壁１１７と、筐体１１０の装置左右方向両側及び装置後側の側壁とが周壁であり、折り畳まれた状態の飛散塩分捕獲体２０の未使用部分を収納する。
【００２３】
送出機構１２０は、側面１２２Ａが正多角形（本実施形態では正方形）、周面１２２Ｂが長方形の回転体１２２と、該回転体１２２の両側の側面１２２Ａの中心から装置左右方向外側に延びる回転軸１２４と、回転体１２２を回転させるモータ１２６とを備えている。回転軸１２４は、回転体１２２と一体で設けられ、軸受（図示省略）を介して筐体１１０の左右の側板に回転可能に支持されている。また、一方の回転軸１２４は、筐体１１０の一方の側板を貫通しており、該回転軸１２４にモータ１２６が連結されている。
【００２４】
回転体１２２の周面１２２Ｂの４隅には、柱状の突起１２３が設けられている。これらの突起１２３は、周面１２２Ｂ上に飛散塩分捕獲体２０の一区画が載せられた状態で、該区画の４隅の穴２４Ｂに嵌るように配されている。
【００２５】
通気部１１１の上側の壁１１１Ａにおける装置前側の端部には、飛散塩分捕獲体２０が通過する開口１１１Ｂが形成されている。また、通気部１１１の下側の壁１１１Ｃにおける装置前側の端部にも、飛散塩分捕獲体２０が通過する開口１１１Ｄが形成されている。
【００２６】
下段部１１４の装置前側には、下段収納部１１８が配されている。この下段収納部１１８は、下段部１１４を装置前側と後側とに仕切る仕切壁１１９と、筐体１１０の装置左右方向両側及び装置前側の側壁とが周壁であり、折り畳まれた状態の飛散塩分捕獲体２０の使用済み部分を収納する。
【００２７】
筐体１１０の上部には、カバー１３０が着脱可能に設けられている（図５参照）。このカバー１３０を取り外した状態で、未使用の飛散塩分捕獲体２０を上段収納部１１６に挿入し、飛散塩分捕獲体２０の先頭の区画を回転体１２２に嵌める、即ち、該区画の４個の穴２４Ｂに突起１２３を嵌めることができる。また、筐体１１０の側壁の下部には、カバー１３２が着脱可能に設けられている（図５参照）。このカバー１３２を取り外した状態で、使用済みの飛散塩分捕獲体２０を下段収納部１１８から取り出すことができる。
【００２８】
ここで、飛散塩分捕獲体２０が通気部１１１を通して装置前後方向に露出するところ、ガーゼ２２が通気部１１１の中に位置するように、モータ１２６による飛散塩分捕獲体２０の送り出し量が調整される。これにより、ガーゼ２２が通気部１１１において曝露される。
【００２９】
ここで、モータ１２６は、タイマ機能付きのモータ制御装置１４０（図４参照）によって所定期間（例えば、１か月間）おきに駆動され、飛散塩分捕獲体２０を上段収納部１１６から送り出して未使用のガーゼ２２を通気部１１１の位置まで移動させると共に、使用済みのガーゼ２２を通気部１１１から下段収納部１１８へ降下させる。以下、保持装置１００の動作について説明する。
【００３０】
図６及び図７並びに図３は、保持装置１００の使用方法を説明するための立断面図である。まず、カバー１３０を筐体１１０の上部から取り外して（図５参照）、未使用の飛散塩分捕獲体２０を上段収納部１１６に挿入すると共に、該飛散塩分捕獲体２０の先頭の区画を送出機構１２０の回転体１２２に嵌める、即ち、該区画の４個の穴２４Ｂに一の周面１２２Ｂの突起１２３を嵌める。
【００３１】
次に、図６に示すように、モータ１２６を駆動させてガーゼ２２を通気部１１１の位置まで移動させる。通気部１１１のガーゼ２２は、通気部１１１を通して曝露され、飛散塩分を捕獲する。
【００３２】
その後は、図３に示すように、所定期間経過後にモータ１２６が駆動されることで、順次、次の未使用のガーゼ２２が、通気部１１１の位置まで移動され、使用済みのガーゼ２２が、下段収納部１１８に折り畳まれた状態で収納される。ここで、筐体１１０の装置前側の壁が、飛散塩分捕獲体２０が装置前側へ折れ曲がることを防止する規制部材として機能している。そして、最終的には、図７に示すように、全ての飛散塩分捕獲体２０が、上段収納部１１６から送り出されて下段収納部１１８に折り畳まれた状態で収納される。この使用済みの飛散塩分捕獲体２０を、カバー１３２を筐体１１０の側板から取り外して下段収納部１１８から抜き出す（図５参照）。
【００３３】
ここで、図８に示すように、飛散塩分捕獲体２０の使用済み部分は、下段収納部１１８において、ガーゼ２２が設けられた区画間に遮蔽板２３が設けられた区画が複数（本実施形態では２個）介在するように積み重なった状態で折り畳まれる。これによって、２枚の遮蔽板２３で１枚のガーゼ２２を挟むことにより、ガーゼ２２の密封性を確保できると共に、各遮蔽板２３が１枚のガーゼ２２にのみ対面し、他のガーゼ２２には対面しないことにより、１枚の遮蔽板２３に複数のガーゼ２２から塩分が移ることを防止できる。従って、ガーゼ２２に付着した塩分の量と遮蔽板２３に付着した塩分の量とを加算して各捕獲期間の飛散塩分量を計測することができ、飛散塩分量の計測の精度を向上できる。
【００３４】
以上説明したように、本実施形態に係る飛散塩分捕獲装置１０は、大気中に飛散している塩分を捕獲可能であるガーゼ２２が設けられた区画と、遮蔽板２３が設けられた１以上（本実施形態では２個）の区画とが交互に並び、該区画の境界に折り畳み線２４Ｃが設けられた帯状の飛散塩分捕獲体２０と、該飛散塩分捕獲体２０をその一部が曝露するように保持する保持装置１００とを備える。この保持装置１００は、飛散塩分捕獲体２０の一部を曝露させるための通気部１１１と、該通気部１１１の上側の上段部１１２と、通気部１１１の下側の下段部１１４とが設けられ、上段部１１２の上段収納部１１６内に折り畳まれた状態の飛散塩分捕獲体２０の未使用部分を収納し、下段部１１４の下段収納部１１８内に折り畳まれた状態の飛散塩分捕獲体２０の使用済み部分を収納する筐体１１０と、上段部１１２内に配され、飛散塩分捕獲体２０の未使用部分を折り畳まれた状態から展開して通気部１１１の位置へ送り出すと共に、飛散塩分捕獲体２０の使用済み部分を通気部１１１の位置から下段収納部１１８へ降下させる送出機構１２０とを備える。
【００３５】
これによって、飛散塩分捕獲体２０を上段収納部１１６に折り畳んだ状態で収納しておき、送出機構１２０により所定量ずつ飛散塩分捕獲体２０を送り出すという簡単な操作により、未使用のガーゼ２２を所定時間後に順次上段収納部１１６から通気部１１１の位置に移動させ、使用済みのガーゼ２２を所定時間毎に順次通気部１１１の位置から下段収納部１１８へ降下させることができる。この際、下段収納部１１８において、遮蔽板２３がガーゼ２２間に介在することにより、使用期間の異なるガーゼ２２が接触すること等により捕獲期間の異なる塩分が混ざり合うことを防止できる。従って、飛散塩分を捕獲するガーゼ２２の交換を百葉箱１の中で簡単な操作により実施できると共に、捕獲期間の異なる塩分が混ざり合わないように、使用済のガーゼ２２を保管できる。
【００３６】
また、保持装置１００は、送出機構１２０の回転体１２２を回転させるモータ１２６と、未使用のガーゼ２２が所定時間毎に順次上段収納部１１６から通気部１１１の位置に移動し、使用済のガーゼ２２が所定時間毎に順次通気部１１１の位置から下段収納部１１８へ降下するように、モータ１２６を制御するモータ制御装置１４０とを備える。これによって、飛散塩分を捕獲するガーゼ２２の交換を百葉箱１の中において自動で実施できる。
【００３７】
また、筐体１１０は、上段収納部１１６に未使用の飛散塩分捕獲体２０を挿入するために筐体１１０の上部に着脱されるカバー１３０と、上段収納部１１６から使用済みの飛散塩分捕獲体２０を下段収納部１１８から取り出すために筐体１１０の側板に着脱されるカバー１３２とを備える。これによって、未使用の飛散塩分捕獲体２０を上段収納部１１６に収納したり、使用済みの飛散塩分捕獲体２０を下段収納部１１８から回収したりすることができる。
【００３８】
また、本実施形態に係る飛散塩分捕獲装置１０は、保持装置１００を収容し、飛散塩分捕獲体２０に導風する導風口が設けられた百葉箱１を備える。これによって、雨の影響を受けずに、風量に応じた量の飛散塩分をガーゼ２２で捕獲できる。
【００３９】
また、本実施形態に係る飛散塩分捕獲体２０のガーゼ２２には、各々を識別するための表示が記されている。この表示は、曝露位置に置かれて飛散塩分を捕獲するのに使用される月等である。よって、使用済のガーゼ２２の管理を容易化できる。
【００４０】
図９は、他の実施形態に係る保持装置２００を示す縦断面図である。この図に示すように、保持装置２００は、飛散塩分捕獲体３０と、該飛散塩分捕獲体３０の未使用部分を収納する上段収納部２１６と、飛散塩分捕獲体３０の未使用部分を上段収納部２１６から通気部１１１へ送り出し、飛散塩分捕獲体３０の使用済み部分を通気部１１１から下段収納部１１８へ降下させる送出機構２２０とを備える。
【００４１】
飛散塩分捕獲体３０は、上述の実施形態における穴２４Ｂの無いガーゼホルダー３４を備え、ガーゼホルダー３４のガーゼ２２のある区画とその後続の区画との境界には、ストッパ３２が着脱可能に取り付けられている。この飛散塩分捕獲体３０の未使用部分は、上段収納部２１６に、各区画が装置前後方向に重なり合うように折り畳まれた状態で収納されている。
【００４２】
送出機構２２０は、上段収納部２１６を装置前後方向に移動させるボールネジ２２２と、該ボールネジ２２２を回転させるモータ２２６と、通気部１１１の上に配されたレバー２２４と、該レバー２２４を作動させるモータ（図示省略）とを備えている。モータ２２６が駆動されてボールネジ２２２が回転されると、上段収納部２１６上の飛散塩分捕獲体２０の未使用部分が装置前後方向に移動される。
【００４３】
レバー２２４は、装置左右方向に対して平行な軸の周りに回転可能に設けられており、通気部１１１に位置するガーゼ２２の上のストッパ３２に引っ掛ることにより、飛散塩分捕獲体３０のガーゼ２２の区画を通気部１１１で保持する。一方、レバー２２４は、図中時計回り方向に回転して、通気部１１１に位置するガーゼ２２の上のストッパ３２をガーゼホルダー３４から外すことにより、飛散塩分捕獲体３０のガーゼ２２の区画を通気部１１１から下段収納部１１８へ降下させる。この際、次のガーゼ２２の区画が通気部１１１の位置まで移動するように、モータ２２６が駆動されてボールネジ２２２が回転され、飛散塩分捕獲体３０の未使用部分が装置前側へ送り出される。
【００４４】
以上、本発明を実施するための形態について説明したが、上記実施形態は本発明の理解を容易にするためのものであり、本発明を限定して解釈するためのものではない。本発明はその趣旨を逸脱することなく変更、改良され得るとともに、本発明にはその等価物も含まれる。例えば、上記実施形態では、突起１２３をガーゼホルダー２４の穴２４Ｂに嵌めて回転することにより飛散塩分捕獲体２０の未使用部分を送り出す送出機構１２０と、ボールネジ２２２の回転により飛散塩分捕獲体２０の未使用部分を送り出す送出機構２２０とを例に挙げたが、送出機構の構成はこれらに限られるものではない。
【００４５】
また、上記実施形態では、飛散塩分捕獲体２０の使用済み部分が、下段収納部１１８において、ガーゼ２２の区画間に遮蔽板２３の区画が複数介在するように積み重なった状態で折り畳まれるように構成したが、ガーゼ２２の区画間の遮蔽板２３の区画は１個でもよい。また、上記実施形態では、回転体１２２に突起１２３を設け、飛散塩分捕獲体２０に突起１２３が嵌る穴２４Ｂを設けたが、回転体１２２に穴を設け、該孔に嵌る突起を飛散塩分捕獲体２０に設けてもよい。
【００４６】
また、上記実施形態では、下段部１１４の装置前側の壁が、飛散塩分捕獲体２０が装置前側へ折れ曲がることを防止する規制部材として機能するように構成したが、下段部１１４の装置前側の壁が下段収納部１１８から離れている場合には、別途、上記規制部材を設ければよい。さらに、上記実施形態では、保持装置１００、２００を百葉箱１の中に入れたが、保持装置１００、２００を雨の影響を受けない場所に設置する場合等には、百葉箱１を用いなくてもよい。
【符号の説明】
【００４７】
１  百葉箱、２  ガラリ、３  蓋、９  蝶番、１０  飛散塩分捕獲装置、２０  飛散塩分捕獲体、２２  ガーゼ、２３  遮蔽板、２４  ガーゼホルダー、２４Ａ  開口、２４Ｂ  穴、２４Ｃ  折り畳み線、３０  飛散塩分捕獲体、３２  ストッパ、３４  ガーゼホルダー、１００  保持装置、１１０  筐体、１１１  通気部、１１１Ａ  壁、１１１Ｂ  開口、１１１Ｃ  壁、１１１Ｄ  開口、１１２  上段部、１１４  下段部、１１６  上段収納部、１１７  仕切壁、１１８  下段収納部、１１９  仕切壁、１２０  送出機構、１２２  回転体、１２２Ａ  側面、１２２Ｂ  周面、１２３  突起、１２４  回転軸、１２６  モータ、１３０  カバー、１３２  カバー、１４０  モータ制御装置、２００  保持装置、２１６  上段収納部、２２０  送出機構、２２２  ボールネジ、２２４  レバー、２２６  モータ
【図１】
0006000998.tif 000002
【図２】
0006000998.tif 000003
【図３】
0006000998.tif 000004
【図４】
0006000998.tif 000005
【図５】
0006000998.tif 000006
【図６】
0006000998.tif 000007
【図７】
0006000998.tif 000008
【図８】
0006000998.tif 000009
【図９】
0006000998.tif 000010